(57)【要約】【課題】相手コネクタとの嵌合状態を感触と音とで認識させることが可能なコネクタの提供をする。【解決手段】回転嵌合式となるコネクタ１は、雌コネクタハウジング３と、バヨネットリング２とを備えて構成される。雌コネクタハウジング３のフランジ部１７は、相手コネクタの初期嵌合状態の際に用いられる仮係止部と完全嵌合状態の際に用いられる本係止部２０とを有する。バヨネットリング２は、仮係止部及び本係止部２０のいずれか一方に係止される移動係止部８を有する。この移動係止部８は、可撓性のアーム部１１と、係止爪部１２と、切り欠き部１３とを有する。本係止部２０は、第二凹部及び第二凸部を有する。第二凹部は、打ち付け底部を有し、第二凸部は、アーム部１１を外側に撓ませる斜面部３１を有する。【選択図】図１
2019087366.tif 000002
【特許請求の範囲】
【請求項１】
複数の端子が収容されるコネクタハウジングと、該コネクタハウジングに対し回転自在に装着されるバヨネットリングとを備え、
前記コネクタハウジングは、端子収容部と、該端子収容部の外側に配置形成される円筒部と、ハウジング後部に位置し且つ前記円筒部に連続する略鍔状のフランジ部とを有し、
該フランジ部は、相手コネクタの初期嵌合状態の際に用いられる仮係止部と、前記相手コネクタの完全嵌合状態の際に用いられる本係止部とを有し、
前記バヨネットリングは、筒状の胴体部と、該胴体部の回転移動に伴って前記仮係止部及び前記本係止部のいずれか一方に係止される移動係止部とを有し、
該移動係止部は、前記胴体部の周方向に延在する可撓性のアーム部と、該アーム部に連成され且つ前記胴体部の軸方向に沿って前記フランジ部側に突出する係止爪部と、該係止爪部の前記軸方向反対側に形成される切り欠き部とを有し、
前記仮係止部は、前記フランジ部の周方向に沿って並び且つ前記移動係止部の仮係止及び乗り越えが可能な第一凹部及び第一凸部を有し、
前記第一凹部は、前記係止爪部に形成された係止面の当接部分になる係止壁面を前記軸方向に沿った面として且つ前記第一凸部の側に有し、
前記本係止部は、前記フランジ部の周方向に沿って並び且つ前記移動係止部の本係止及び乗り越えが可能な第二凹部及び第二凸部を有し、
前記第二凹部は、前記アーム部の側部及び／又は前記係止爪部の側部にて打ち付けられる打ち付け底部を有し、
前記第二凸部は、前記アーム部を前記胴体部の中心から離れる方向又は近づける方向に撓ませる斜面部を有する
ことを特徴とするコネクタ。
【請求項２】
請求項１に記載のコネクタにおいて、
前記斜面部は、前記アーム部を前記胴体部の中心から離れる方向又は近づける方向に撓ませる斜面部本体のみを有する、或いは、該斜面部本体と、前記離れる方向又は前記近づける方向に撓んだ前記アーム部に対し捻りを加える捻り斜面とを有する
ことを特徴とするコネクタ。
【請求項３】
請求項１又は２に記載のコネクタにおいて、
前記第二凹部は、前記アーム部及び／又は前記係止爪部を引っ掛けて前記離れる方向又は前記近づける方向への移動を規制する凸状の移動規制部を有する
ことを特徴とするコネクタ。
【発明の詳細な説明】
【技術分野】
【０００１】
本発明は、回転嵌合式のコネクタに関する。詳しくは、一対のコネクタのうち、これらの間の嵌合を低操作力で行うバヨネット構造を有する側のコネクタに関する。
【背景技術】
【０００２】
例えば、自動車等の車体に搭載されるトランスミッションを電気的に接続するためのコネクタとしては、下記特許文献１に開示された多極型で回転嵌合式のコネクタ１０１（図３５参照）が知られる。
【０００３】
図３５及び図３６において、コネクタ１０１は、多極型の相手コネクタ１０２との嵌合を低操作力で行うためのバヨネット構造を有するように構成される。具体的には、コネクタ１０１は、複数本の電線１０３の端末に設けられる雌端子１０４と、後部側から雌端子１０４を収容可能な雌コネクタハウジング１０５と、この雌コネクタハウジング１０５の前部に組み付けられるフロントホルダー１０６と、雌コネクタハウジング１０５の端子収容部１０７及び円筒部１０８の間に組み付けられるパッキン１０９と、雌コネクタハウジング１０５に対し回転自在に装着されるバヨネットリング１１０とを備えて構成される。
【０００４】
雌コネクタハウジング１０５は、円筒部１０８に周方向の溝部分となる嵌合溝部１１１を有する。また、雌コネクタハウジング１０５は、ハウジング後部に位置し且つ円筒部１０８に連続するようなフランジ部１１２を有する。フランジ部１１２は、相手コネクタ１０２の初期嵌合状態の際に用いられる仮係止部１１３と、相手コネクタ１０２の完全嵌合状態の際に用いられる本係止部１１４と、バヨネットリング１１０の過剰な回転を規制する回転規制部１１５（１１５ａ、１１５ｂ）とを有する。
【０００５】
バヨネットリング１１０は、筒状の胴体部１１６と、この胴体部１１６の回転移動に伴って仮係止部１１３及び本係止部１１４のいずれか一方に係止される移動係止部１１７と、嵌合溝部１１１に嵌合する回転支持部１１８とを有する。移動係止部１１７は、胴体部１１６の周方向に延在する可撓性のアーム部１１９と、このアーム部１１９に連成され且つ中心軸ＣＬに沿って突出する係止爪部１２０と、係止爪部１２０の反対側に形成される切り欠き部１２１とを有する。胴体部１１６は、相手コネクタ１０２のカム溝１２２に係合するカム突起１２３と、回転規制凸部１２４とを有する。
【０００６】
カム突起１２３は、バヨネットリング１１０の回転に伴いカム溝１２２を移動し、この時、コネクタ同士の引き寄せが生じてコネクタ嵌合が低操作力で行われる（或いは低操作力で離脱が行われる）。
【０００７】
上記構成及び構造において、図３７（ａ）に示す如く相手コネクタ１０２が嵌合開始位置にある時には、雌コネクタハウジング１０５の仮係止部１１３にバヨネットリング１１０の移動係止部１１７が係止された状態になる。そして、バヨネットリング１１０を回転させると、この回転の力を受けて移動係止部１１７のアーム部１１９が中心軸ＣＬに沿って図の下方に撓み、これにより移動係止部１１７は仮係止部１１３を乗り越えるような状態になる。この後、バヨネットリング１１０の回転が続くと移動係止部１１７が雌コネクタハウジング１０５の本係止部１１４に当接し、上記同様にアーム部１１９は再度下方に撓んで本係止部１１４を乗り越えるような状態になる。乗り越えが終わると、図３７（ｂ）に示す如く移動係止部１１７は本係止部１１４に係止された状態になり、また、嵌合終了位置の状態にもなる。
【０００８】
バヨネットリング１１０の回転に伴い、このバヨネットリング１１０の回転規制凸部１２４が雌コネクタハウジング１０５の回転規制部１１５ａ、１１５ｂの間を移動するようになる。図３７からは、過剰な回転が規制されることが分かる。
【０００９】
尚、嵌合終了位置の状態からバヨネットリング１１０を上記とは逆方向に回転させると、相手コネクタ１０２との嵌合解除が可能になる。
【先行技術文献】
【特許文献】
【００１０】
【特許文献１】特開２０１３−２４６８８４号公報
【発明の概要】
【発明が解決しようとする課題】
【００１１】
上記従来技術にあっては、移動係止部１１７のアーム部１１９が雌コネクタハウジング１０５の仮係止部１１３を乗り越える時と、本係止部１１４を乗り越える時とで同じ撓み方をする。そのため例えば目視せずにバヨネットリング１１０を回転させると、仮係止部１１３の乗り越えなのか本係止部１１４の乗り越えなのかが分からないという虞がある。
【００１２】
また、上記従来技術にあっては、移動係止部１１７のアーム部１１９が中心軸ＣＬに沿って図３７の下方に撓み、この後にアーム部１１９が弾性復帰すると、ロック音が生じるような構造であるが、そのロック音は非常に小さいものであり、乗り越えが完了して係止されたのかどうかが分からないという虞もある。
【００１３】
本発明は、上記した事情に鑑みてなされたもので、相手コネクタとの嵌合状態を感触と音とで認識させることが可能なコネクタの提供を課題とする。
【課題を解決するための手段】
【００１４】
上記課題を解決するためになされた請求項１に記載の本発明のコネクタは、複数の端子が収容されるコネクタハウジングと、該コネクタハウジングに対し回転自在に装着されるバヨネットリングとを備え、前記コネクタハウジングは、端子収容部と、該端子収容部の外側に配置形成される円筒部と、ハウジング後部に位置し且つ前記円筒部に連続する略鍔状のフランジ部とを有し、該フランジ部は、相手コネクタの初期嵌合状態の際に用いられる仮係止部と、前記相手コネクタの完全嵌合状態の際に用いられる本係止部とを有し、
前記バヨネットリングは、筒状の胴体部と、該胴体部の回転移動に伴って前記仮係止部及び前記本係止部のいずれか一方に係止される移動係止部とを有し、該移動係止部は、前記胴体部の周方向に延在する可撓性のアーム部と、該アーム部に連成され且つ前記胴体部の軸方向に沿って前記フランジ部側に突出する係止爪部と、該係止爪部の前記軸方向反対側に形成される切り欠き部とを有し、前記仮係止部は、前記フランジ部の周方向に沿って並び且つ前記移動係止部の仮係止及び乗り越えが可能な第一凹部及び第一凸部を有し、前記第一凹部は、前記係止爪部に形成された係止面の当接部分になる係止壁面を前記軸方向に沿った面として且つ前記第一凸部の側に有し、前記本係止部は、前記フランジ部の周方向に沿って並び且つ前記移動係止部の本係止及び乗り越えが可能な第二凹部及び第二凸部を有し、前記第二凹部は、前記アーム部の側部及び／又は前記係止爪部の側部にて打ち付けられる打ち付け底部を有し、前記第二凸部は、前記アーム部を前記胴体部の中心から離れる方向又は近づける方向に撓ませる斜面部を有することを特徴とする。
【００１５】
このような請求項１の特徴を有する本発明によれば、移動係止部のアーム部の撓み方を仮係止部と本係止部とで変える構造であることから、仮係止部に対する乗り越えなのか本係止部に対する乗り越えなのかを感触にて確実に分からせることができる。また、本発明によれば、撓んだアーム部が弾性復帰した際にアーム部の側部及び／又は係止爪部の側部にて本係止部の打ち付け底部を打ち付ける構造であることから、比較的大きなロック音を生じさせることができ、以て乗り越えが完了し係止されたことを音にて確実に分からせることができる。
【００１６】
請求項２に記載の本発明は、請求項１に記載のコネクタにおいて、前記斜面部は、前記アーム部を前記胴体部の中心から離れる方向又は近づける方向に撓ませる斜面部本体のみを有する、或いは、該斜面部本体と、前記離れる方向又は前記近づける方向に撓んだ前記アーム部に対し捻りを加える捻り斜面とを有することを特徴とする。
【００１７】
このような請求項２の特徴を有する本発明によれば、アーム部の側部及び／又は係止爪部の側部にて本係止部の打ち付け底部を打ち付けるにあたり、アーム部を外側又は内側に撓ませた状態にする、或いは外側又は内側に撓ませつつ捻りを加える状態にする、のいずれかを採用することで比較的大きなロック音を生じさせることができる。
【００１８】
請求項３に記載の本発明は、請求項１又は２に記載のコネクタにおいて、前記第二凹部は、前記アーム部及び／又は前記係止爪部を引っ掛けて前記離れる方向又は前記近づける方向への移動を規制する凸状の移動規制部を有することを特徴とする。
【００１９】
このような請求項３の特徴を有する本発明によれば、本係止部に係止された状態にある移動係止部のアーム部の撓み方向を規制することができる。これにより、相手コネクタの完全嵌合状態から初期嵌合状態に戻す際のアーム部の撓みを従来と同様にすることができ、結果、初期嵌合状態から完全嵌合状態にする際の感触と比べて異ならせることができる。
【発明の効果】
【００２０】
本発明のコネクタによれば、相手コネクタとの嵌合状態を感触と音とで認識させることができるという効果を奏する。
【図面の簡単な説明】
【００２１】
【図１】本発明のコネクタの一実施形態を示す斜視図である（実施例１）。
【図２】図１のバヨネットリングの斜視図である。
【図３】図１の雌コネクタハウジングの斜視図である。
【図４】雌コネクタハウジングの図であり、（ａ）は（ｂ）のＢ−Ｂ線断面図、（ｂ）は側面図である。
【図５】要部の図であり、（ａ）は図２の矢印Ａの拡大図、（ｂ）は図４の矢印Ｃの拡大図である。
【図６】アーム部が撓む直前の状態を示す斜視図である。
【図７】アーム部が斜面部にて撓み始めた状態を示す斜視図である。
【図８】アーム部が斜面部にて最大に撓んだ状態を示す斜視図である。
【図９】アーム部が弾性復帰した状態を示す斜視図である。
【図１０】係止爪部の移動に係る図であり、（ａ）は図６での移動状態を示す断面図、（ｂ）は図７での移動状態を示す断面図、（ｃ）は図８での移動状態を示す断面図、（ｄ）は図９での移動状態を示す断面図である。
【図１１】相手コネクタとの嵌合解除を行う際の状態を示す側面図である。
【図１２】本発明のコネクタの他の一実施形態を示す斜視図である（実施例２）。
【図１３】図１２のバヨネットリング及び雌コネクタハウジングの斜視図である。
【図１４】雌コネクタハウジングの図であり、（ａ）は（ｂ）のＢ−Ｂ線断面図、（ｂ）は側面図である。
【図１５】要部の図であり、（ａ）は図１３の矢印Ａの拡大図、（ｂ）は図１４の矢印Ｃの拡大図である。
【図１６】アーム部が撓む直前の状態を示す斜視図である。
【図１７】アーム部が斜面部にて撓み始めた状態を示す斜視図である。
【図１８】アーム部が斜面部の捻り斜面にて捻られつつ最大に撓んだ状態を示す斜視図である。
【図１９】アーム部が弾性復帰した状態を示す斜視図である。
【図２０】係止爪部の移動に係る図であり、（ａ）は図１６での移動状態を示す断面図、（ｂ）は図１７での移動状態を示す断面図、（ｃ）は図１８での移動状態を示す断面図、（ｄ）は図１９での移動状態を示す断面図である。
【図２１】図２０のＤ−Ｄ線断面図である。
【図２２】相手コネクタとの嵌合解除を行う際の状態を示す側面図である。
【図２３】本発明のコネクタの他の一実施形態を示す斜視図である（実施例３）。
【図２４】図２３のバヨネットリング及び雌コネクタハウジングの斜視図である。
【図２５】雌コネクタハウジングの図であり、（ａ）は（ｂ）のＢ−Ｂ線断面図、（ｂ）は側面図である。
【図２６】要部の図であり、（ａ）は図２４の矢印Ａの拡大図、（ｂ）は図２５の矢印Ｃの拡大図である。
【図２７】アーム部が撓む直前の状態を示す斜視図である。
【図２８】アーム部が斜面部にて撓み始めた状態を示す斜視図である。
【図２９】アーム部が斜面部にて最大に撓んだ状態を示す斜視図である。
【図３０】アーム部が弾性復帰した状態を示す斜視図である。
【図３１】係止爪部の移動に係る図であり、（ａ）は図２７での移動状態を示す断面図、（ｂ）は図２８での移動状態を示す断面図、（ｃ）は図２９での移動状態を示す断面図、（ｄ）は図３０での移動状態を示す断面図である。
【図３２】相手コネクタとの嵌合解除を行う際の係止爪部の移動に係る図であり、（ａ）は移動直前の状態を示す断面図、（ｂ）は移動開始時の状態を示す断面図、（ｃ）は移動途中の状態を示す断面図である。
【図３３】仮係止状態を示す側面図である。
【図３４】嵌合方向に回転させて仮係止解除を行う際の状態を示す側面図である。
【図３５】従来例のコネクタの図であり、（ａ）は斜視図、（ｂ）は分解斜視図である。
【図３６】図３５のコネクタの図であり、（ａ）は分解斜視図、（ｂ）は雌端子挿入時の斜視図である。
【図３７】図３５のコネクタの図であり、（ａ）は嵌合開始位置での斜視図、（ｂ）は嵌合完了位置での斜視図である。
【発明を実施するための形態】
【００２２】
回転嵌合式となるコネクタは、雌コネクタハウジングと、この雌コネクタハウジングに対し回転自在に装着されるバヨネットリングとを備えて構成される。雌コネクタハウジングのフランジ部は、相手コネクタの初期嵌合状態の際に用いられる仮係止部と完全嵌合状態の際に用いられる本係止部とを有する。バヨネットリングは、仮係止部及び本係止部のいずれか一方に係止される移動係止部を有する。この移動係止部は、可撓性のアーム部と、係止爪部と、切り欠き部とを有する。仮係止部は、第一凹部及び第一凸部を有し、本係止部は、第二凹部及び第二凸部を有する。第二凹部は、打ち付け底部を有し、第二凸部は、アーム部を外側又は内側に撓ませる斜面部を有する。
【実施例１】
【００２３】
以下、図面を参照しながら実施例１を説明する。図１は本発明のコネクタの一実施形態を示す斜視図である。また、図２はバヨネットリングの斜視図、図３は雌コネクタハウジングの斜視図、図４は雌コネクタハウジングの断面図及び側面図、図５は要部の図、図６〜図１０は作用の図、図１１は嵌合解除を行う際の状態を示す側面図である。
【００２４】
＜コネクタ１について＞
図１において、実施例１のコネクタ１は、例えば、自動車等の車体に搭載されるトランスミッションを電気的に接続するためのものであって、多極型の相手コネクタ１０２（図３５参照）との嵌合を低操作力で行うためのバヨネット構造を備えて構成される。すなわち、コネクタ１は、バヨネットリング２を備えて構成される。また、コネクタ１は、複数本の電線１０３（図３５参照）の端末に設けられる雌端子１０４（端子。図３６参照）と、後部側から雌端子１０４を収容可能な雌コネクタハウジング３（コネクタハウジング）と、この雌コネクタハウジング３の前部に組み付けられるフロントホルダー４と、雌コネクタハウジング３の端子収容部５（図３参照）及び円筒部６（図３参照）の間に組み付けられるパッキン１０９（図３５参照）とを備えて構成される。
【００２５】
尚、実施例１のコネクタ１は、バヨネットリング２と雌コネクタハウジング３以外、従来例のコネクタ１０１（図３５参照）と同じであり、ここでの詳細な説明は省略するものとする。
【００２６】
＜バヨネットリング２について＞
図１及び図２において、バヨネットリング２は、雌コネクタハウジング３に対し回転自在に装着される。バヨネットリング２は、胴体部７と、移動係止部８と、複数の回転支持部９と、カム突起１０と、図示しない回転規制凸部（図３７の回転規制凸部１２４と同じ）とを有して図示形状に形成される。
【００２７】
胴体部７は、段付きの円筒形状に形成される。移動係止部８は、本実施例の特徴部分であって、胴体部７の回転移動に伴って後述する仮係止部１９（図４参照）及び本係止部２０のいずれか一方に係止される。複数の回転支持部９は、後述する嵌合溝部１８（図３及び図４参照）に嵌合する部分として形成される。カム突起１０は、相手コネクタ１０２（図３５参照）に係合する部分として形成される。図示しない回転規制凸部は、過剰な回転を規制する部分として形成される。以上のようなバヨネットリング２は、移動係止部８以外が従来例のバヨネットリング１１０（図３５ないし図３７参照）と同じ形状に形成される。
【００２８】
＜移動係止部８について＞
図２及び図５において、移動係止部８は、胴体部７の周方向に延在する可撓性のアーム部１１と、このアーム部１１の先端に連成され且つ中心軸ＣＬに沿って突出する係止爪部１２と、係止爪部１２の反対側に形成される切り欠き部１３とを有する。アーム部１１は、従来例同様、切り欠き部１３を撓み許容空間とし、中心軸ＣＬに沿って撓むような片持ちアーム形状に形成される。また、アーム部１１は、本実施例の特徴として、中心軸ＣＬから離れる方向に撓むような片持ちアーム形状にも形成される。
【００２９】
係止爪部１２は、この突起側部がアーム部１１の内側となる側部（側面）に対し同一面となるように形成される。係止爪部１２の内側となる側部は、後述する打ち付け底部２６を打ち付ける部分として形成される（言い換えれば、打ち付けによりロック音を発生させる部分として形成される）。また、係止爪部１２の上記側部は、後述する斜面部３１を摺動する部分としても形成される。係止爪部１２は、バヨネットリング２を嵌合方向に回転させた時に機能する係止面１４と、嵌合解除方向に回転させた時に機能する係止面１５と、頂部１６とを有する。
【００３０】
＜雌コネクタハウジング３について＞
図３ないし図５において、雌コネクタハウジング３は、端子収容部５と、円筒部６と、フランジ部１７とを有して図示形状に形成される。雌コネクタハウジング３は、端子収容部５及び円筒部６が従来例と同じ形状に形成される。尚、円筒部６の引用符号１８は、周方向の溝部分となる嵌合溝部を示す。嵌合溝部１８は、バヨネットリング２の回転支持部９（図２参照）が嵌合する部分として形成される。フランジ部１７は、相手コネクタ１０２（図３３参照）の初期嵌合状態の際に用いられる仮係止部１９と、相手コネクタ１０２の完全嵌合状態の際に用いられる本係止部２０と、バヨネットリング２の過剰な回転を規制する回転規制部２１（２１ａ、２１ｂ）とを有する。
【００３１】
＜仮係止部１９について＞
図４において、仮係止部１９は、従来例の仮係止部１１３（図３７参照）と同じ形状部分に形成される。仮係止部１９は、フランジ部１７の周方向に沿って並び且つ移動係止部８（図２参照）の仮係止及び乗り越えが可能な形状に形成される。仮係止部１９は、第一凹部２２と、第一凸部２３とを有する図示形状に形成される。尚、仮係止部１９の作用については、図３３及び図３４を参照しながら後述するものとする。
【００３２】
＜本係止部２０について＞
図３ないし図５において、本係止部２０は、本実施例の特徴部分であって、バヨネットリング２（図２参照）の移動係止部８に対する係止部分であり且つ上記仮係止部１９と異なる形状部分に形成される（これにより、操作時の感触を異ならせることができる）。また、本係止部２０は、フランジ部１７の周方向に沿って並び且つ移動係止部８の本係止及び乗り越えが可能な形状に形成される。本係止部２０は、第二凹部２４と、第二凸部２５とを有する図示形状に形成される。
【００３３】
第二凹部２４は、移動係止部８における係止爪部１２の上記側部にて打ち付けられる打ち付け底部２６を有する（アーム部１１の内側の側部を含めて打ち付けられるような形状に形成することも可能である）。また、第二凹部２４は、バヨネットリング２を嵌合方向に回転させた時に機能する係止面２７と、嵌合解除方向に回転させた時に機能する係止面２８と、開口部分２９と、移動規制部３０とを更に有する。移動規制部３０は、第二凹部２４に係止爪部１２が存在する状態において、係止爪部１２を引っ掛けることができるように形成される。別な言い方をすれば、中心軸ＣＬから離れる方向への移動を規制することができるように形成される。
【００３４】
第二凸部２５は、斜面部本体３１ａのみからなる斜面部３１を有する。この斜面部本体３１ａは、第二凹部２４に近い側が頂部になるような適宜角度の傾斜面に形成される。また、斜面部本体３１ａは、係止爪部１２が摺動するような傾斜面に形成される。
【００３５】
＜回転規制部２１について＞
図４において、回転規制部２１は、従来例の回転規制部１１５（図３７参照）と同じ形状部分に形成される。すなわち、回転規制部２１は、バヨネットリング２の過剰な回転を規制する部分に形成される。
【００３６】
＜移動係止部８と本係止部２０との作用について＞
図６ないし図１１を参照しながら、移動係止部８と本係止部２０との作用について説明をする。具体的には、相手コネクタ１０２（図３５及び図３７参照）との嵌合を行う際の、アーム部１１が撓む直前の状態から弾性復帰した状態までの作用と、相手コネクタ１０２との嵌合解除を行う際の作用とを説明する。尚、仮係止部１９（図４参照）に対しては従来例と同じ作用になる。また、後述する実施例２、３とも共通の作用になる。そのため、本明細書の最後で図３３及び図３４を参照しながら簡単に説明をするものとする。
【００３７】
図６及び図１０（ａ）において、バヨネットリング２の回転移動に伴ってアーム部１１の先端にある係止爪部１２は、斜面部３１（斜面部本体３１ａ）の近傍まで移動する。この時、アーム部１１には撓みがまだ生じていない。図７及び図１０（ｂ）において、バヨネットリング２の回転を進めると、係止爪部１２は斜面部３１（斜面部本体３１ａ）に当接し、そして、この斜面部３１（斜面部本体３１ａ）を摺動し始める。この時、アーム部１１は中心軸ＣＬから離れる方向へ、すなわち外側への移動を開始する。尚、作業者は感触が仮係止部１９の時と異なることに気が付く。図８及び図１０（ｃ）において、バヨネットリング２の回転を更に進めると、係止爪部１２は斜面部３１（斜面部本体３１ａ）を摺動し、頂部まで移動する。この時、アーム部１１は外側に最大に撓んだ状態になる。図９及び図１０（ｄ）において、バヨネットリング２の回転を更に進めると、係止爪部１２は斜面部３１（斜面部本体３１ａ）を乗り越える。すなわち、第二凸部２５を乗り越える。この時、アーム部１１は外側に撓んだ状態から元の状態へと内側に向けて弾性復帰し、その際に係止爪部１２の側部が打ち付け底部２６を打ち付ける。係止爪部１２の側部の打ち付けにより、比較的大きな音で「パチン」とロック音がする。以上により、相手コネクタ１０２（図３７参照）が完全嵌合した状態になる。
【００３８】
図１１において、相手コネクタ１０２との嵌合解除を行う際には、上記と逆方向にバヨネットリング２を回転移動させる。この時、アーム部１１は、中心軸ＣＬに沿って撓むようになる。すなわち、図６ないし図１０で説明したような撓みをしないような状態になる。これは、本係止部２０の構造によるものである。
【００３９】
＜コネクタ１の効果について＞
以上、図１ないし図１１を参照しながら説明してきたように、本発明の一実施形態である実施例１のコネクタ１によれば、移動係止部８のアーム部１１の撓み方を仮係止部１９と本係止部２０とで変える構造であることから、仮係止部１９に対する乗り越えなのか本係止部２０に対する乗り越えなのかを感触にて確実に分からせることができる。また、コネクタ１によれば、撓んだアーム部１１が弾性復帰した際に係止爪部１２の側部にて本係止部２０の打ち付け底部２６を打ち付ける構造であることから、比較的大きなロック音を生じさせることができ、以て乗り越えが完了し係止されたことを音にて確実に分からせることができる。従って、コネクタ１によれば、相手コネクタ１０２との嵌合状態を感触と音とで認識させることができるという効果を奏する。これにより、作業性を向上させることができるという効果も奏する。
【実施例２】
【００４０】
以下、図面を参照しながら実施例２を説明する。図１２は本発明のコネクタの他の一実施形態を示す斜視図である。また、図１３はバヨネットリング及び雌コネクタハウジングの斜視図、図１４は雌コネクタハウジングの断面図及び側面図、図１５は要部の図、図１６〜図２１は作用の図、図２２は嵌合解除を行う際の状態を示す側面図である。
【００４１】
＜コネクタ１について＞
図１２において、実施例２のコネクタ１は、実施例１のコネクタ１と同様、自動車等の車体に搭載されるトランスミッションを電気的に接続するためのものであって、多極型の相手コネクタ１０２（図３５参照）との嵌合を低操作力で行うためのバヨネット構造を備えて構成される。すなわち、コネクタ１は、バヨネットリング２を備えて構成される。また、コネクタ１は、複数本の電線１０３（図３５参照）の端末に設けられる雌端子１０４（端子。図３６参照）と、後部側から雌端子１０４を収容可能な雌コネクタハウジング３（コネクタハウジング）と、この雌コネクタハウジング３の前部に組み付けられるフロントホルダー４と、雌コネクタハウジング３の端子収容部５（図３参照）及び円筒部６（図３参照）の間に組み付けられるパッキン１０９（図３５参照）とを備えて構成される。
【００４２】
尚、実施例２のコネクタ１は、バヨネットリング２と雌コネクタハウジング３以外、従来例のコネクタ１０１（図３５参照）と同じであり、ここでの詳細な説明は省略するものとする。
【００４３】
＜バヨネットリング２について＞
図１２及び図１３において、バヨネットリング２は、雌コネクタハウジング３に対し回転自在に装着される。バヨネットリング２は、胴体部７と、移動係止部８と、複数の回転支持部９と、カム突起１０と、図示しない回転規制凸部（図３７の回転規制凸部１２４と同じ）とを有して図示形状に形成される。
【００４４】
胴体部７は、段付きの円筒形状に形成される。移動係止部８は、本実施例の特徴部分であって、胴体部７の回転移動に伴って後述する仮係止部１９（図１４参照）及び本係止部２０のいずれか一方に係止される（後述するが、実施例１と作用が若干異なる）。複数の回転支持部９は、後述する嵌合溝部１８（図１３及び図１４参照）に嵌合する部分として形成される。カム突起１０は、相手コネクタ１０２（図３３参照）に係合する部分として形成される。図示しない回転規制凸部は、過剰な回転を規制する部分として形成される。以上のようなバヨネットリング２は、移動係止部８以外が従来例のバヨネットリング１１０（図３５ないし図３７参照）と同じ形状に形成される。また、バヨネットリング２は、移動係止部８以外が実施例１とも同じ形状に形成される（後述する撓みが可能であれば、実施例１と全く同じものを用いてもよいものとする）。
【００４５】
＜移動係止部８について＞
図１２及び図１５において、移動係止部８は、胴体部７の周方向に延在する可撓性のアーム部１１と、このアーム部１１の先端に連成され且つ中心軸ＣＬに沿って突出する係止爪部１２と、係止爪部１２の反対側に形成される切り欠き部１３とを有する。アーム部１１は、従来例同様、切り欠き部１３を撓み許容空間とし、中心軸ＣＬに沿って撓むような片持ちアーム形状に形成される。また、アーム部１１は、本実施例の特徴として、中心軸ＣＬから離れる方向に撓むような片持ちアーム形状にも形成される。さらに、アーム部１１は、本実施例の特徴として、捻りが可能な片持ちアーム形状にも形成される。
【００４６】
係止爪部１２は、この突起側部がアーム部１１の内側となる側部（側面）に対し同一面となるように形成される。係止爪部１２の内側となる側部は、後述する打ち付け底部２６を打ち付ける部分として形成される（言い換えれば、打ち付けによりロック音を発生させる部分として形成される）。また、係止爪部１２の上記側部は、後述する斜面部３１（斜面部本体３１ａ及び捻り斜面３１ｂ）を摺動する部分としても形成される。係止爪部１２は、バヨネットリング２を嵌合方向に回転させた時に機能する係止面１４と、嵌合解除方向に回転させた時に機能する係止面１５と、頂部１６とを有する。
【００４７】
＜雌コネクタハウジング３について＞
図１３ないし図１５において、雌コネクタハウジング３は、端子収容部５と、円筒部６と、フランジ部１７とを有して図示形状に形成される。雌コネクタハウジング３は、端子収容部５及び円筒部６が従来例及び実施例１と同じ形状に形成される。円筒部６の引用符号１８は、周方向の溝部分となる嵌合溝部を示す。嵌合溝部１８は、バヨネットリング２の回転支持部９（図１２参照）が嵌合する部分として形成される。フランジ部１７は、相手コネクタ１０２（図３５参照）の初期嵌合状態の際に用いられる仮係止部１９と、相手コネクタ１０２の完全嵌合状態の際に用いられる本係止部２０と、バヨネットリング２の過剰な回転を規制する回転規制部２１（２１ａ、２１ｂ）とを有する。
【００４８】
＜仮係止部１９について＞
図１４において、仮係止部１９は、従来例の仮係止部１１３（図３７参照）及び実施例１の仮係止部１９と同じ形状部分に形成される。仮係止部１９は、フランジ部１７の周方向に沿って並び且つ移動係止部８（図１３及び図１５参照）の仮係止及び乗り越えが可能な形状に形成される。仮係止部１９は、第一凹部２２と、第一凸部２３とを有する図示形状に形成される。尚、仮係止部１９の作用については、図３３及び図３４を参照しながら後述するものとする。
【００４９】
＜本係止部２０について＞
図１３ないし図１５において、本係止部２０は、本実施例の特徴部分であって、バヨネットリング２の移動係止部８に対する係止部分であり且つ上記仮係止部１９と異なる形状部分に形成される（これにより、操作時の感触を異ならせることができる）。また、本係止部２０は、フランジ部１７の周方向に沿って並び且つ移動係止部８の本係止及び乗り越えが可能な形状に形成される。本係止部２０は、第二凹部２４と、第二凸部２５とを有する図示形状に形成される。
【００５０】
第二凹部２４は、移動係止部８における係止爪部１２の上記側部にて打ち付けられる打ち付け底部２６を有する（アーム部１１の内側の側部を含めて打ち付けられるような形状に形成することも可能である）。また、第二凹部２４は、バヨネットリング２を嵌合方向に回転させた時に機能する係止面２７と、嵌合解除方向に回転させた時に機能する係止面２８と、開口部分２９と、移動規制部３０とを更に有する。移動規制部３０は、第二凹部２４に係止爪部１２が存在する状態において、係止爪部１２を引っ掛けることができるように形成される。別な言い方をすれば、中心軸ＣＬから離れる方向への移動を規制することができるように形成される。
【００５１】
第二凸部２５は、斜面部本体３１ａと捻り斜面３１ｂとで構成される斜面部３１を有する。この斜面部３１は、第二凹部２４に近い側が頂部になるような適宜角度の傾斜面に形成される。斜面部本体３１ａと捻り斜面３１ｂは、係止爪部１２が摺動するような傾斜面に形成される。捻り斜面３１ｂは、斜面部本体３１ａに連続してアーム部１１に図２１の矢印Ｅ方向の捻りを生じさせるような傾斜面に形成される。以上をまとめると、斜面部３１は、アーム部１１を外側に撓ませつつ捻りを生じさせるような、また、弾性復帰する際には恰もスナップを効かせるような、二段階の傾斜面に形成される。
【００５２】
＜回転規制部２１について＞
図１４において、回転規制部２１は、従来例の回転規制部１１５（図３７参照）と同じ形状部分に形成される。すなわち、回転規制部２１は、バヨネットリング２の過剰な回転を規制する部分に形成される。
【００５３】
＜移動係止部８と本係止部２０との作用について＞
図１６ないし図２２を参照しながら、移動係止部８と本係止部２０との作用について説明をする。具体的には、相手コネクタ１０２（図３５及び図３７参照）との嵌合を行う際の、アーム部１１が撓む直前の状態から弾性復帰した状態までの作用と、相手コネクタ１０２との嵌合解除を行う際の作用とを説明する。尚、仮係止部１９（図１４参照）に対しては、図３３及び図３４を参照しながら後述するものとする。
【００５４】
図１６及び図２０（ａ）において、バヨネットリング２の回転移動に伴ってアーム部１１の先端にある係止爪部１２は、斜面部３１（斜面部本体３１ａ）の近傍まで移動する。この時、アーム部１１には撓みがまだ生じていない。図１７及び図２０（ｂ）において、バヨネットリング２の回転を進めると、係止爪部１２は斜面部３１（斜面部本体３１ａ）に当接し、そして、この斜面部３１（斜面部本体３１ａ）を摺動し始める。この時、アーム部１１は中心軸ＣＬから離れる方向へ、すなわち外側への移動を開始する。尚、作業者は感触が仮係止部１９の時と異なることに気が付く。図１８及び図２０（ｃ）において、バヨネットリング２の回転を更に進めると、係止爪部１２は斜面部３１（捻り斜面３１ｂ）を摺動し、頂部まで移動する。この時、アーム部１１は外側に撓みつつ図２１に示すような矢印Ｅ方向に捻りが生じた状態になる。図１９及び図２０（ｄ）において、バヨネットリング２の回転を更に進めると、係止爪部１２は斜面部３１（捻り斜面３１ｂ）を乗り越える。すなわち、第二凸部２５を乗り越える。この時、アーム部１１は外側に撓んだ状態から元の状態へと内側に向けて弾性復帰し、また、捻りが元の状態に戻るような弾性復帰をし、その際に係止爪部１２の側部が打ち付け底部２６を打ち付ける。係止爪部１２の側部のスナップが効いた打ち付けにより、比較的大きな音で「パチン」とロック音がする。以上により、相手コネクタ１０２（図３７参照）が完全嵌合した状態になる。
【００５５】
図２２において、相手コネクタ１０２との嵌合解除を行う際には、上記と逆方向にバヨネットリング２を回転移動させる。この時、アーム部１１は、中心軸ＣＬに沿って撓むようになる。すなわち、図１６ないし図２１で説明したような撓みをしないような状態になる。これは、本係止部２０の構造によるものである。
【００５６】
＜コネクタ１の効果について＞
以上、図１２ないし図２２を参照しながら説明してきたように、本発明の一実施形態である実施例２のコネクタ１によれば、移動係止部８のアーム部１１の撓み方を仮係止部１９と本係止部２０とで変える構造であることから、仮係止部１９に対する乗り越えなのか本係止部２０に対する乗り越えなのかを感触にて確実に分からせることができる。また、コネクタ１によれば、撓んだアーム部１１が弾性復帰した際に係止爪部１２の側部にて本係止部２０の打ち付け底部２６をスナップを効かせて打ち付ける構造であることから、比較的大きなロック音を生じさせることができ、以て乗り越えが完了し係止されたことを音にて確実に分からせることができる。従って、コネクタ１によれば、相手コネクタ１０２との嵌合状態を感触と音とで認識させることができるという効果を奏する。これにより、作業性を向上させることができるという効果も奏する。
【実施例３】
【００５７】
以下、図面を参照しながら実施例３を説明する。図２３は本発明のコネクタの他の一実施形態を示す斜視図である。また、図２４はバヨネットリング及び雌コネクタハウジングの斜視図、図２５は雌コネクタハウジングの断面図及び側面図、図２６は要部の図、図２７〜図３１は作用の図、図３２は嵌合解除を行う際の状態を示す断面図である。
【００５８】
＜コネクタ１について＞
図２３において、実施例３のコネクタ１は、実施例１及び実施例２のコネクタ１と同様、自動車等の車体に搭載されるトランスミッションを電気的に接続するためのものであって、多極型の相手コネクタ１０２（図３５参照）との嵌合を低操作力で行うためのバヨネット構造を備えて構成される。すなわち、コネクタ１は、バヨネットリング２を備えて構成される。また、コネクタ１は、複数本の電線１０３（図３５参照）の端末に設けられる雌端子１０４（端子。図３６参照）と、後部側から雌端子１０４を収容可能な雌コネクタハウジング３（コネクタハウジング）と、この雌コネクタハウジング３の前部に組み付けられるフロントホルダー４と、雌コネクタハウジング３の端子収容部５（図３参照）及び円筒部６（図３参照）の間に組み付けられるパッキン１０９（図３５参照）とを備えて構成される。
【００５９】
尚、実施例３のコネクタ１は、バヨネットリング２と雌コネクタハウジング３以外、従来例のコネクタ１０１（図３５参照）と同じであり、ここでの詳細な説明は省略するものとする。
【００６０】
＜バヨネットリング２について＞
図２３及び図２４において、バヨネットリング２は、雌コネクタハウジング３に対し回転自在に装着される。バヨネットリング２は、胴体部７と、移動係止部８と、複数の回転支持部９と、カム突起１０と、図示しない回転規制凸部（図３７の回転規制凸部１２４と同じ）とを有して図示形状に形成される。
【００６１】
胴体部７は、段付きの円筒形状に形成される。移動係止部８は、本実施例の特徴部分であって、胴体部７の回転移動に伴って後述する仮係止部１９（図１４参照）及び本係止部２０のいずれか一方に係止される（後述するが、実施例１及び実施例２と作用が異なる）。複数の回転支持部９は、後述する嵌合溝部１８（図２４及び図２５参照）に嵌合する部分として形成される。カム突起１０は、相手コネクタ１０２（図３５参照）に係合する部分として形成される。図示しない回転規制凸部は、過剰な回転を規制する部分として形成される。以上のようなバヨネットリング２は、移動係止部８以外が従来例のバヨネットリング１１０（図３５ないし図３７参照）と同じに形成される。また、バヨネットリング２は、移動係止部８以外が実施例１及び実施例２とも同じ形状に形成される。
【００６２】
＜移動係止部８について＞
図２４及び図２６において、移動係止部８は、胴体部７の周方向に延在する可撓性のアーム部１１と、このアーム部１１の先端に連成され且つ中心軸ＣＬに沿って突出する係止爪部１２と、係止爪部１２の反対側に形成される切り欠き部１３とを有する。アーム部１１は、従来例同様、切り欠き部１３を撓み許容空間とし、中心軸ＣＬに沿って撓むような片持ちアーム形状に形成される。また、アーム部１１は、本実施例の特徴として、中心軸ＣＬに近づく方向撓むような片持ちアーム形状にも形成される（実施例１及び実施例２のような外側でなく内側に撓むように形成される）。
【００６３】
係止爪部１２は、この突起側部がアーム部１１の外側となる側部（側面）に対し一段下がったような面を有するように形成される。係止爪部１２の外側となる側部は、後述する打ち付け底部２６を打ち付ける部分として形成される（言い換えれば、打ち付けによりロック音を発生させる部分として形成される）。また、係止爪部１２の上記側部は、後述する斜面部３１（斜面部本体３１ａ）を摺動する部分としても形成される。係止爪部１２は、バヨネットリング２を嵌合方向に回転させた時に機能する係止面１４と、嵌合解除方向に回転させた時に機能する係止面１５と、頂部１６とを有する。
【００６４】
＜雌コネクタハウジング３について＞
図２４ないし図２６において、雌コネクタハウジング３は、端子収容部５と、円筒部６と、フランジ部１７とを有して図示形状に形成される。雌コネクタハウジング３は、端子収容部５及び円筒部６が従来例及び実施例１、２と同じ形状に形成される。円筒部６の引用符号１８は、周方向の溝部分となる嵌合溝部を示す。嵌合溝部１８は、バヨネットリング２の回転支持部９（図２３参照）が嵌合する部分として形成される。フランジ部１７は、相手コネクタ１０２（図３５参照）の初期嵌合状態の際に用いられる仮係止部１９と、相手コネクタ１０２の完全嵌合状態の際に用いられる本係止部２０と、バヨネットリング２の過剰な回転を規制する回転規制部２１（２１ａ、２１ｂ）とを有する。
【００６５】
＜仮係止部１９について＞
図２５において、仮係止部１９は、従来例の仮係止部１１３（図３７参照）及び実施例１、２の仮係止部１９と同じ形状部分に形成される。仮係止部１９は、フランジ部１７の周方向に沿って並び且つ移動係止部８（図２４及び図２６参照）の仮係止及び乗り越えが可能な形状に形成される。仮係止部１９は、第一凹部２２と、第一凸部２３とを有する図示形状に形成される。尚、仮係止部１９の作用については、図３３及び図３４を参照しながら後述するものとする。
【００６６】
＜本係止部２０について＞
図２４ないし図２６において、本係止部２０は、本実施例の特徴部分であって、バヨネットリング２の移動係止部８に対する係止部分であり且つ上記仮係止部１９と異なる形状部分に形成される（これにより、操作時の感触を異ならせることができる）。また、本係止部２０は、フランジ部１７の周方向に沿って並び且つ移動係止部８の本係止及び乗り越えが可能な形状に形成される。本係止部２０は、第二凹部２４と、第二凸部２５とを有する図示形状に形成される。
【００６７】
第二凹部２４は、移動係止部８における係止爪部１２の上記側部にて打ち付けられる打ち付け底部２６を有する（打ち付け底部２６は、実施例１及び実施例２と配置が異なる）。また、第二凹部２４は、バヨネットリング２を嵌合方向に回転させた時に機能する係止面２７と、嵌合解除方向に回転させた時に機能する係止面２８と、開口部分２９と、移動規制部３０とを更に有する。移動規制部３０は、第二凹部２４に係止爪部１２が存在する状態において、係止爪部１２を引っ掛けることができるように形成される。別な言い方をすれば、中心軸ＣＬに近づく方向への移動を規制することができるように形成される。
【００６８】
第二凸部２５は、斜面部本体３１ａのみからなる斜面部３１を有する。この斜面部３１は、第二凹部２４に近い側が頂部になるような適宜角度の傾斜面に形成される。斜面部本体３１ａは、係止爪部１２が摺動するような傾斜面に形成される。
【００６９】
＜回転規制部２１について＞
図２５において、回転規制部２１は、従来例の回転規制部１１５（図３７参照）と同じ形状部分に形成される。すなわち、回転規制部２１は、バヨネットリング２の過剰な回転を規制する部分に形成される。
【００７０】
＜移動係止部８と本係止部２０との作用について＞
図２７ないし図３２を参照しながら、移動係止部８と本係止部２０との作用について説明をする。具体的には、相手コネクタ１０２（図３５及び図３７参照）との嵌合を行う際の、アーム部１１が撓む直前の状態から弾性復帰した状態までの作用と、相手コネクタ１０２との嵌合解除を行う際の作用とを説明する。尚、仮係止部１９（図２５参照）に対しては、図３３及び図３４を参照しながら後述するものとする。
【００７１】
図２７及び図３１（ａ）において、バヨネットリング２の回転移動に伴ってアーム部１１の先端にある係止爪部１２は、斜面部３１（斜面部本体３１ａ）の近傍まで移動する。この時、アーム部１１には撓みがまだ生じていない。図２８及び図３１（ｂ）において、バヨネットリング２の回転を進めると、係止爪部１２は斜面部３１（斜面部本体３１ａ）に当接し、そして、この斜面部３１（斜面部本体３１ａ）を摺動し始める。この時、アーム部１１は中心軸ＣＬに近づく方向へ、すなわち内側への移動を開始する。尚、作業者は感触が仮係止部１９の時と異なることに気が付く。図２９及び図３１（ｃ）において、バヨネットリング２の回転を更に進めると、係止爪部１２は斜面部３１（斜面部本体３１ａ）を摺動し、頂部まで移動する。この時、アーム部１１は内側に最大に撓んだ状態になる。図３０及び図３１（ｄ）において、バヨネットリング２の回転を更に進めると、係止爪部１２は斜面部３１（斜面部本体３１ａ）を乗り越える。すなわち、第二凸部２５を乗り越える。この時、アーム部１１は内側に撓んだ状態から元の状態へと外側に向けて弾性復帰し、その際に係止爪部１２の側部が打ち付け底部２６を打ち付ける。係止爪部１２の側部の打ち付けにより、比較的大きな音で「パチン」とロック音がする。以上により、相手コネクタ１０２（図３７参照）が完全嵌合した状態になる。
【００７２】
上記構成及び構造において、相手コネクタ１０２との嵌合解除を行う際には、上記と逆方向にバヨネットリング２を回転移動させる。この時、アーム部１１は、中心軸ＣＬ（図２３参照）に沿って撓むようになる。すなわち、図２７ないし図３１で説明したような撓みをしないようになる。これは、本係止部２０の構造によるものである。尚、嵌合解除時における係止爪部１２の動きは、図３２に示すような状態になる。
【００７３】
＜コネクタ１の効果について＞
以上、図２３ないし図３２を参照しながら説明してきたように、本発明の一実施形態である実施例３のコネクタ１によれば、移動係止部８のアーム部１１の撓み方を仮係止部１９と本係止部２０とで変える構造であることから、仮係止部１９に対する乗り越えなのか本係止部２０に対する乗り越えなのかを感触にて確実に分からせることができる。また、コネクタ１によれば、撓んだアーム部１１が弾性復帰した際に係止爪部１２の側部にて本係止部２０の打ち付け底部２６を打ち付ける構造であることから、比較的大きなロック音を生じさせることができ、以て乗り越えが完了し係止されたことを音にて確実に分からせることができる。従って、コネクタ１によれば、相手コネクタ１０２との嵌合状態を感触と音とで認識させることができるという効果を奏する。これにより、作業性を向上させることができるという効果も奏する。
【００７４】
＜移動係止部８と仮係止部１９との作用について＞
図３３は仮係止状態を示す側面図である。また、図３４は嵌合方向に回転させて仮係止解除を行う際の状態を示す側面図である。尚、図３４の細い矢印は上記嵌合方向及び仮係止解除の方向を示すものとする。
【００７５】
移動係止部８は、上述の如くアーム部１１と、このアーム部１１の先端に連成され且つ中心軸ＣＬに沿って突出する係止爪部１２と、係止爪部１２の反対側に形成される切り欠き部１３とを有する。係止爪部１２は、バヨネットリング２を嵌合方向に回転させた時に機能する係止面１４と、この係止面１４の反対側に位置する係止面１５と、頂部１６とを有する。一方、仮係止部１９は、第一凹部２２と、第一凸部２３とを有する。第一凹部２２は、一対の係止壁面３２、３３と、この一対の係止壁面３２、３３間の開口部分３４と、底部３５とを有する。係止壁面３２は、バヨネットリング２を嵌合方向に回転させた時に係止爪部１２に対して機能する面に形成される。すなわち、中心軸ＣＬに沿った面（図の上下方向に沿った面（小さな傾きを持たせてもよいものとする））に形成される。係止壁面３２は、第一凸部２３の側に配置形成される。
【００７６】
尚、仮係止部１９における底部３５は、本係止部２０（図１、図１２、図２３参照）の底部分と異なり、係止爪部１２の打ち付けが生じない面に形成される。
【００７７】
図３３において、バヨネットリング２の上記嵌合方向への（仮係止解除方向への）回転移動に伴い、移動係止部８における係止爪部１２の係止面１４が第一凹部２２の係止壁面３２に当接する。この時、回転移動の力を受けてアーム部１１は切り欠き部１３の側に撓み変形し、その結果、図３４に示す如く係止爪部１２が第一凸部２３の図中下側を摺動するような通過途中状態になる。係止爪部１２が第一凸部２３を完全に通過する（乗り越える）と仮係止状態は解除される。
【００７８】
図３３及び図３４から、移動係止部８のアーム部１１の撓み方が仮係止部１９の仮係止解除時と本係止部２０（図８、図２１、図２９参照）の嵌合時とで違うことが分かる。
【００７９】
この他、本発明は本発明の主旨を変えない範囲で種々変更実施可能なことは勿論である。
【００８０】
以上の説明では雌コネクタハウジング３を備えるコネクタ１に上記特徴部分を採用しているが、雄コネクタハウジングを備えるコネクタにも適用が可能であるものとする。
【符号の説明】
【００８１】
１…コネクタ、  ２…バヨネットリング、  ３…雌コネクタハウジング（コネクタハウジング）、  ４…フロントホルダー、  ５…端子収容部、  ６…円筒部、  ７…胴体部、  ８…移動係止部、  ９…回転支持部、  １０…カム突起、  １１…アーム部、  １２…係止爪部、  １３…切り欠き部、  １４…係止面、  １５…係止面、  １６…頂部、  １７…フランジ部、  １８…嵌合溝部、  １９…仮係止部、  ２０…本係止部、  ２１…回転規制部、  ２２…第一凹部、  ２３…第一凸部、  ２４…第二凹部、  ２５…第二凸部、  ２６…打ち付け底部、  ２７、２８…係止面、  ２９…開口部分、  ３０…移動規制部、  ３１…斜面部、  ３１ａ…斜面部本体、  ３１ｂ…捻り斜面、  ３２、３３…係止壁面、  ３４…開口部分、  ３５…底部、  ＣＬ…中心軸
【図１】
2019087366.tif 000003
【図２】
2019087366.tif 000004
【図３】
2019087366.tif 000005
【図４】
2019087366.tif 000006
【図５】
2019087366.tif 000007
【図６】
2019087366.tif 000008
【図７】
2019087366.tif 000009
【図８】
2019087366.tif 000010
【図９】
2019087366.tif 000011
【図１０】
2019087366.tif 000012
【図１１】
2019087366.tif 000013
【図１２】
2019087366.tif 000014
【図１３】
2019087366.tif 000015
【図１４】
2019087366.tif 000016
【図１５】
2019087366.tif 000017
【図１６】
2019087366.tif 000018
【図１７】
2019087366.tif 000019
【図１８】
2019087366.tif 000020
【図１９】
2019087366.tif 000021
【図２０】
2019087366.tif 000022
【図２１】
2019087366.tif 000023
【図２２】
2019087366.tif 000024
【図２３】
2019087366.tif 000025
【図２４】
2019087366.tif 000026
【図２５】
2019087366.tif 000027
【図２６】
2019087366.tif 000028
【図２７】
2019087366.tif 000029
【図２８】
2019087366.tif 000030
【図２９】
2019087366.tif 000031
【図３０】
2019087366.tif 000032
【図３１】
2019087366.tif 000033
【図３２】
2019087366.tif 000034
【図３３】
2019087366.tif 000035
【図３４】
2019087366.tif 000036
【図３５】
2019087366.tif 000037
【図３６】
2019087366.tif 000038
【図３７】
2019087366.tif 000039